(57)【要約】      （修正有） 【課題】用水路における両岸の笠木部の間に架設されている梁の老朽化対策を容易に行う用水路補修用梁部材を提供する。【解決手段】補修対象の用水路の水路幅に対応した長さの梁体１の両端に、用水路の笠木部０１の高さと対応する受け板部２を設けると共に、受け板部の上端から両外方に載置板部３を延設し、受け板部の下端から両外方に、用水路側壁面から笠木部分が張り出している長さ以下の抜け止め板部を延設する。さらに、補修対象の用水路において、抜け止め板部が両岸の笠木部０１の間に入り込むように本梁部材を斜めに配置して、載置板部を笠木部の上面に載置し、梁部材をそのまま用水路方向に直交する位置まで捩じって両岸間に架設する。【選択図】図２
0003180362.tif 000002
【実用新案登録請求の範囲】
【請求項１】
補修対象の用水路の水路幅に対応した長さの梁体の両端に、用水路の笠木部の高さと対応し、且つ適宜幅の受け板部を設けると共に、受け板部の上端から両外方に載置板部を延設し、受け板部の下端から両外方に、用水路側壁面から笠木部が張り出している長さ以下の抜け止め板部を延設してなることを特徴とする用水路補修用梁部材。
【請求項２】
抜け止め板部の両側に、端縁からスリットを設けて適宜幅の折り返し板部を形成してなる請求項１記載の用水路補修用梁部材。
【考案の詳細な説明】
【技術分野】
【０００１】
本考案は、主として矢板鋼板によって側壁形成された農業用水路の補修に使用する梁部材に関するものである。
【背景技術】
【０００２】
矢板鋼板を両岸に打ち込み、矢板鋼板の上端に笠木コンクリート打設して形成した構造の用水路が知られている（特許文献１，特開２００２−１２９５３７号公報の図２）。
【０００３】
これらの用水路は経年変化によって補修が必要であり、補修手段としてコンクリート矢板で被覆する手段（特許文献１）、補修対象範囲を新たな鋼板で被覆する手段（特許文献２，特開２０１２−１８０７２８号公報）などが知られている。
【先行技術文献】
【特許文献】
【０００４】
【特許文献１】特開２００２−１２９５３７号公報の図２。
【特許文献２】特開２０１２−１８０７２８号公報。
【考案の概要】
【考案が解決しようとする課題】
【０００５】
矢板鋼板使用の農業用水路は、矢板を土中に打ち込んで両岸からの背圧を受け止めているものであり、前記背圧に対する耐久力を増すために笠木コンクリート間、または笠木コンクリートを形成するために矢板鋼板上に載置したＨ型鋼の間に、梁部材を架設している。
【０００６】
前記の梁部材に対しては、常時地盤からの圧力が加わっていると共に、用水路に水が流れているので当然に湿気があり、梁部材が金属製の場合には腐食して破損してしまう。梁部材が損傷して欠損すると、用水路が狭められ用水機能が低下してしまうので、用水路の全面改修に至らない前においては、梁部材の新規装着が即応的な対応である。
【０００７】
そこで本考案は、笠木コンクリートやＨ型鋼にネジ止めや溶接などの作業を行わずに速やかに用水路の必要箇所に取り付けることのできる新規な用水路補修用梁部材を提案したものである。
【課題を解決するための手段】
【０００８】
本考案（請求項１）に係る用水路補修用梁部材は、補修対象の用水路の水路幅に対応した長さの梁体の両端に、用水路の笠木部の高さと対応し、且つ適宜幅の受け板部を設けると共に、受け板部の上端から両外方に載置板部を延設し、受け板部の下端から両外方に、用水路側壁面から笠木部分が張り出している長さ以下の抜け止め板部を延設してなることを特徴とするものである。
【０００９】
而して補修対象の用水路において、抜け止め板部が両岸の笠木部分の間に入り込むように本梁部材を斜めに配置して、載置板部を笠木部の上面に載置し、梁部材をそのまま用水路方向に直交する位置まで捩じると、梁部材は用水路の両岸間に架設される。
【００１０】
尚前記の架設に際しては、用水路の両岸間にジャッキを介在させて両岸間隔を拡げて行っても良いし、架設後に笠木部前面と受け板部の間に適宜な介在物を充填しても良い。
【００１１】
また本考案（請求項２）に係る用水路補修用梁部材は、抜け止め板部の両側に、端縁からスリットを設けて適宜幅の折り返し板部を形成してなるもので、梁部材を架設後に、折り返し板部を、笠木部を構成するＨ型鋼の下縁背面に折り返し、架設後の梁部材の離脱を確実に防止する。
【考案の効果】
【００１２】
本考案の構成は上記のとおりで、補修対象の用水路の現場において、特に笠木部にネジ止め、溶接等の加工作業を施す必要が無く、簡単に装着できる梁部材を提供し、地盤背圧による用水路の狭幅化への対策がなされるものである。
【図面の簡単な説明】
【００１３】
【図１】本考案の実施形態の全体斜視図。
【図２】同装着作業の説明図。
【図３】同装着状態の要部断面図。
【図４】同装着後の用水路の斜視図。
【考案を実施するための形態】
【００１４】
次に本考案の実施形態について説明する。本考案に係る用水路補修用梁部材を使用する対象は、笠木部０１を備えた用水路であれば良い。例えば矢板鋼板０２を使用の農業用水路は、矢板鋼鈑０２を土中に打ち込んで両岸からの背圧を受け止めて、水路０３を確保し、更に前記矢板鋼板０２の上縁に笠木部０１を設けて用水路上縁を地面と仕切っているものである。この笠木部０１は、矢板鋼板０２に被冠したＨ型鋼０４とＨ型鋼０４の上部に打設した笠木コンクリート０５で構成されているものである。
【００１５】
前記の用水路が補修対象とした用水路補修用梁部材は、梁体１と、笠木部０１に装着される受け板部２、載置板部３、抜け止め板部４で構成される。
【００１６】
梁体１は、金属パイプで形成され、水路間隔（両岸の笠木部０１の間隔）と対応する長さとしたものである。用水路は規格化されているので、その水路幅は定まっているので、当該規定長さとしておくものである。
【００１７】
受け板部２は、梁体１の両端部に設けたもので、高さは笠木部０１と一致させ、幅は笠木部０１を抑え込むに充分な幅としたものである。
【００１８】
載置板部３は、前記受け板部２の上端から両外方に延設したもので、笠木部０１の笠木コンクリート０５の上面を十分な範囲で覆うような大きさとしたものである。
【００１９】
抜け止め板部４は、前記受け板部２の下端から両外方に延設したもので、笠木部０１のＨ型鋼０４の前面と矢板鋼板０２の前面までの距離以下、即ち用水路側壁面から笠木部分が張り出している長さ以下の突出長さとしたものである。
【００２０】
また前記抜け止め板部４の両側部分に、先端縁からスリット５を設けて、左右両側に適宜幅の折り返し板部６を形成したものである。
【００２１】
而して補修対象の用水路において、抜け止め板部４が両岸の笠木部０１の間に入り込むように梁部材を斜めに配置して、載置板部３を笠木部０１の笠木コンクリート０５の上面に載置する。そして梁部材をそのまま用水路方向に直交する位置まで捩じると、梁部材は用水路の両岸間に架設されることになる。
【００２２】
更に梁部材を笠木部０１間に架設した状態で、スリット５によって細幅に形成された折り返し部６を、笠木部０１を構成するＨ型鋼の下縁背面に折り返すものである。
【００２３】
尚前記の架設に際しては、用水路の両岸の矢板鋼板０２が地盤背圧によって水路側に傾斜している場合もあるので、笠木部０１間にジャッキを介在させて両岸間隔を施工時の間隔に拡げ、梁部材を架設した後にジャッキを取り外すものである。また逆に水路間隙が拡がっていて受け板部２と笠木部０１の間に隙間が生じている場合には、適宜な板状充填材を圧入する。
【００２４】
従って両岸の笠木部０１間に梁部材を架設すると、梁部材は抜け止め板部４がＨ型鋼０４の下縁に衝突して上方への離脱が防止され、更に折り返し板部６によって梁部材の離脱が確実に防止されるもので、既存用水路側に何らの加工を施すことなく、両岸の水路側への傾斜を防止する梁の老朽化対策を容易に行うことができるものである。
【００２５】
尚、前記実施態様として、矢板鋼板０２を使用した用水路を対象例として説明したが、本考案に係る梁部材は、笠木部０１を備えた用水路の全てに適用できるものであり、また笠木部０１にＨ型鋼０４を使用せずに、笠木部０１が笠木コンクリートのみで形成されている用水路においても、単に折り返し部６の折り返し作業を行わないのみであり、そのまま適用できるものである。
【符号の説明】
【００２６】
１      梁体
２      受け板部
３      載置板部
４      抜け止め板部
５      スリット
６      折り返し板部
０１    笠木部
０２    矢板鋼板
０３    水路
０４    Ｈ型鋼
０５    笠木コンクリート
【図１】
0003180362.tif 000003
【図２】
0003180362.tif 000004
【図３】
0003180362.tif 000005
【図４】
0003180362.tif 000006